(57)【要約】【課題】経済的に有利であるとともに、長手方向の光の連続性を確保できる照明器具を提供すること。【解決手段】本発明は、長手方向に沿って開口部１１が設けられた略筒状の金属製のケース本体１と、このケース本体１に収容され、略筒状であって長手方向に沿って照射開口部２１を有する絶縁性の内ケース２と、横長状の基板３１と、この基板３１の長手方向に所定の離間距離を空けて略直線状に並べられて実装された複数の発光素子３２とを備え、前記照射開口部２１から光を出射するように前記内ケース２に収容される光源部３と、前記内ケース２の長手方向の照射開口部２１に配設され、発光素子３２から出射される光を長手方向に向けて拡散する透光性を有する光学部品５と、前記光源部３の前面側に長手方向に沿って配設されている配光制御部２４とを具備する照明器具である。【選択図】図３
2012243661.tif 000002
【特許請求の範囲】
【請求項１】
長手方向に沿って開口部が設けられた略筒状の金属製のケース本体と；
このケース本体に収容され、略筒状であって長手方向に沿って照射開口部を有する絶縁性の内ケースと；
横長状の基板と、この基板の長手方向に所定の離間距離を空けて略直線状に並べられて実装された複数の発光素子とを備え、前記照射開口部から光を出射するように前記内ケースに収容される光源部と；
前記内ケースの長手方向の照射開口部に配設され、発光素子から出射される光を長手方向に向けて拡散する透光性を有する光学部品と；
前記光源部の前面側に長手方向に沿って配設されている配光制御部と；
を具備することを特徴とする照明器具。
【請求項２】
前記配光制御部は、前記照射開口部の長手方向に沿って両縁部から立ち上げられて、前記光学部品の前面側に配設されていることを特徴とする請求項１に記載の照明器具。
【請求項３】
前記配光制御部は、前記基板の長手方向に沿って配設されていることを特徴とする請求項１に記載の照明器具。
【請求項４】
前記光源部は、複数枚の基板が長手方向に並べられて構成されており、隣接する基板相互における隣接する発光素子間の離間距離は、１枚の基板における隣接する発光素子間の離間距離と略等しいことを特徴とする請求項１乃至請求項３のいずれか一に記載の照明器具。
【発明の詳細な説明】
【技術分野】
【０００１】
本発明の実施形態は、ＬＥＤ等の発光素子を光源として用いる照明器具に関する。
【背景技術】
【０００２】
近時、ＬＥＤの高出力化、高効率化及び普及化に伴い、光源としてＬＥＤを用いた屋内又は屋外で使用される長寿命化が期待できる照明器具が開発されている。このような照明器具は、ＬＥＤを基板に複数実装して所定の光量を得るようにしたもので、例えば、横長状の基板にＬＥＤを複数個並べて実装し、ライン状に光を放射するように構成する場合がある。
【０００３】
この場合、長手方向の光の連続性を確保するため、ＬＥＤから出射される光の指向性が強いことにも起因して、隣接するＬＥＤの相互の離間距離を短くしてＬＥＤを実装する必要性がある。
【先行技術文献】
【特許文献】
【０００４】
【特許文献１】国際公開第２００５／２４２９１号
【発明の概要】
【発明が解決しようとする課題】
【０００５】
しかしながら、上記のような照明器具の場合、実装するＬＥＤの個数が多くなり、製造コスト面で高価なものとなり、経済的に有利ではないという課題が生じる。
本発明は、上記課題に鑑みなされたもので、経済的に有利であるとともに、長手方向の光の連続性を確保できる照明器具を提供することを目的とする。
【課題を解決するための手段】
【０００６】
本発明の実施形態による照明器具は、長手方向に沿って開口部が設けられた略筒状の金属製のケース本体と、このケース本体に収容され、略筒状であって長手方向に沿って照射開口部を有する絶縁性の内ケースとを備えている。
【０００７】
また、横長状の基板と、この基板の長手方向に所定の離間距離を空けて略直線状に並べられて実装された複数の発光素子とを備え、前記照射開口部から光を出射するように前記内ケースに収容される光源部を具備している。
【０００８】
さらに、前記内ケースの長手方向の照射開口部に配設され、発光素子から出射される光を長手方向に向けて拡散する透光性を有する光学部品と、前記光源部の前面側に長手方向に沿って配設されている配光制御部とを備えている。
【発明の効果】
【０００９】
本発明の実施形態によれば、経済的に有利であるとともに、長手方向の光の連続性を確保できる照明器具を提供することが可能となる。
【図面の簡単な説明】
【００１０】
【図１】本発明の第１の実施形態に係る照明器具が取付部材に取付けられた状態を示す斜視図である。
【図２】同照明器具を分解して示す斜視図である。
【図３】図１中、Ｘ−Ｘ線に沿って示す横断面図である。
【図４】図１中、Ｙ−Ｙ線に沿って示す縦断面図である。
【図５】同照明器具の組立工程を示す斜視図である。
【図６】同照明器具において、第１のカバー及び第２のカバーを取外し、発光素子の配置状態を示す平面図である。
【図７】図６において、発光素子から出射された光が光学部品を透過して長手方向に拡散する状態を模式的に示した平面図である。
【図８】同照明器具を複数台長手方向に連結した場合を示す縦断面図である。
【図９】同じく、照明器具を複数台長手方向に連結した場合において、第１のカバー、第２のカバー及び光学部品を取外して発光素子の配置状態を示す平面図である。
【図１０】同照明器具を複数台長手方向に連結する場合の連結構造を示す斜視図である（ステップ１）。
【図１１】同じく、照明器具を複数台長手方向に連結する場合の連結構造を示す斜視図である（ステップ２）。
【図１２】同じく、照明器具を複数台長手方向に連結する場合の連結構造を示す斜視図である（ステップ３）。
【図１３】同じく、照明器具を複数台長手方向に連結する場合の連結構造を示す一部斜視図である（ステップ４）。
【図１４】同じく、照明器具を複数台長手方向に連結する場合の連結構造を示す一部斜視図である（ステップ５）。
【図１５】同じく、照明器具を複数台長手方向に連結する場合の連結構造を示す一部斜視図である（ステップ６）。
【図１６】本発明の第２の実施形態に係る照明器具を示し、図３に相当する横断面図である。
【図１７】同照明器具の基板を示す平面図である。
【図１８】同照明器具の遮光ルーバを示す斜視図である。
【発明を実施するための形態】
【００１１】
以下、本発明の第１の実施形態について図１乃至図９を参照して説明する。なお、各図において同一部分には同一符号を付し、重複した説明は省略する。
【００１２】
本実施形態は、夜の景観を美しく演出する例えば、建物の外壁に光を当ててライトアップ等を行うのに適する主として屋外で使用される照明器具を示している。なお、図１、図８及び図９においては、２台の照明器具を長手方向に連結した形態を示している。
【００１３】
図１に示すように、照明器具は、建物等の構造物に固定される取付部材Ｆに取付けられて支持されるようになっている。取付部材Ｆは、台座ｐとアームａとを備えている。台座ｐは、構造物に固定される部分であり、アームａには、その先端側に照明器具が取付けられて支持されるようになっている。また、アームａは、一端側を支点として回動可能で、照明器具を設置する際に、その回動角度を調整して照明器具から照射される光の方向を適宜変更できるようになっている。
照明器具が取付部材Ｆに取付けられた状態を示す図１においては、図示上、照明器具から照射される光は上方に向けられるようになる。
【００１４】
なお、取付部材Ｆは、上記のような構成に限らない。照明器具が取付けられ支持できるものであればよい。また、照明器具は、１台設置しても、複数台連結して設置するようにしてもよく、光を照射する目的物に対応して適宜適用することができる。
【００１５】
図１乃至図７に示すように、照明器具は、ケース本体１と、このケース本体１の内側に収容された内ケース２と、光源部３と、電源回路４と、光源部３の前面側（光の照射方向側）に配設された光学部品５及び第１のカバー６と、第１のカバー６の前面側に配設された第２のカバー７とを備えている。
【００１６】
ケース本体１は、金属製、例えば、熱伝導性が良好なアルミニウム材料で押出成形によって略筒状に形成されている。より詳しくは、ケース本体１は、横長状であり、略筒状の内側には後述する内ケース２が収容されるスペースが形成されていて、長手方向の両端部が開口し、前面側には、長手方向に沿って長方形状の開口部１１が形成されている。
なお、ケース本体１は、押出成形によって形成するのが好適であるが、これに限らない。成形方法が格別限定されるものではない。
【００１７】
また、図３に示すように、開口部１１の縁部には、第１のカバー６を支持する支持部１２が形成されている。この支持部１２は、長手方向に沿って溝状部を有している。
【００１８】
さらに、ケース本体１の一側壁の外面側には、前記取付部材Ｆに取付けられる取付支持部１３が形成されている。取付支持部１３は、長手方向に亘って形成され、側面形状がＣ状である。このＣ状の取付支持部１３に詳細を省略する取付用レールが挿入されて、取付部材Ｆとボルトで固定され、ケース本体１が取付部材Ｆに取付けられ支持されるようになっている。
また、長手方向の両端部の開口には、この開口を閉塞する端板部材１４が取付けられている。
【００１９】
内ケース２は、絶縁性を有する樹脂製ケースである。内ケース２は、ケース本体１と同様に押出成形によって略筒状に形成され、横長状であり、長手方向の両端部が開口し、前面側には、長手方向に沿って照射開口部２１が形成されている。この内ケース２は、前記ケース本体１における内側のスペースに、端部の開口から挿入されて配設されるようになっている。
【００２０】
図３に代表して示すように、内ケース２には、その内側に光源部３や光学部品５が配設される。このため、内ケース２の内側における両側壁には、光源部３の保持溝２２が長手方向にわたって形成されている。また、照射開口部２１の縁部における内側の両側には、光学部品５の保持溝２３が長手方向にわたって形成されている。
【００２１】
さらに、照射開口部２１の縁部には、前面側へ向かって、かつ長手方向に沿って両側に立ち上げられて突出する配光制御部として遮光ルーバ２４が形成されている。この遮光ルーバ２４は、光源部３から出射される光を遮光して配光制御する機能を有している。
【００２２】
図２乃至図６に示すように、光源部３は、基板３１と、この基板３１に実装された複数の発光素子３２とを備えている。この光源部３は、絶縁性を有する基板取付板３３に取付けられ、基板取付板３３が前記内ケース２の保持溝２２に保持されることにより、内ケース２内に配設される。
【００２３】
基板３１は、略長方形状に形成されており、複数の発光素子３２が長手方向に所定の離間距離Ｌを空けて略直線状に並べられて実装されている。この場合、隣接する発光素子３２間の離間距離は、略等しく、具体的には、約５０ｍｍに設定されている。
【００２４】
基板３１は、絶縁材であるガラスエポキシ樹脂（ＦＲ−４）の平板からなり、表面側には銅箔で形成された配線パターンが施されている。また、適宜白色のレジスト層が施されるようになっている。なお、基板３１の材料は、絶縁材とする場合には、ガラスコンポジット基板（ＣＥＭ−３）やセラミックス材料等を適用できる。さらに、金属製とする場合は、アルミニウム等の熱伝導性が良好で放熱性に優れたべース板の一面に絶縁層が積層された金属製のべース基板を適用できる。
【００２５】
発光素子３２は、ＬＥＤであり、表面実装型のＬＥＤパッケージである。概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。
【００２６】
ＬＥＤチップは、青色光を発光するＬＥＤチップである。透光性樹脂には、蛍光体が混入されており、白色光を出射できるようにするために、青色の光とは補色の関係にある黄色系の光を放射する黄色蛍光体が使用されている。
【００２７】
なお、ＬＥＤは、ＬＥＤのベアチップを直接基板３１に実装するようにしてもよく、また、砲弾型のＬＥＤを実装するようにしてもよく、実装方式や形式は、格別限定されるものではない。
【００２８】
電源回路４は、前記光源部３を構成する基板３１に設けられている。すなわち、電源回路４を構成する例えば、整流器、コンデンサ、抵抗素子等の回路部品４１は、光源部３の基板３１に実装されている。したがって、発光素子３２と回路部品４１とは、同一基板３１に実装されている。
【００２９】
具体的には、回路部品４１は、発光素子３２の直線状の列に略沿って、両側又は片側に実装することが好ましく、これにより基板３１の実装領域を有効に利用することが可能となる。
【００３０】
電源回路４は、商用交流電源ＡＣに電源線によって電源端子４２を介して接続されていて、この交流電源ＡＣを受けて直流出力を生成するものである。電源回路４は、例えば、全波整流回路の出力端子間に平滑コンデンサを接続し、この平滑コンデンサに直流電圧変換回路及び電流検出手段を接続して構成されている。したがって、電源回路４は、配線パターンを介して発光素子３２に接続されており、その直流出力を発光素子３２に供給し、発光素子３２を点灯制御するようになっている。
【００３１】
光学部品５は、プリズムシートであり、このプリズムシートは、透光性を有し、細長の長方形状に形成されていて、その両側が前記内ケース２の保持溝２３に保持されて配設されている。したがって、プリズムシートは、内ケース２の照射開口部２１を覆い、発光素子３２の列に対応して、発光素子３２の前面側に配置されている。
このプリズムシートは、表面に微細な溝が形成され、発光素子３２から出射される光を長手方向に向けて屈折させて拡散する機能を有している。
【００３２】
図２及び図３に示すように、第１のカバー６は、透光性を有し、長方形状をなす透明なガラス板である。このガラス板は、背面側の両側が内ケース２に形成された遮光ルーバ２４の前端部及びケース本体１の支持部１２に載置されるように配置され、前面側の両側を押え板６１によって前面側から押圧されるように固定されている。なお、押え板６１は、ケース本体１の前面側にねじ止めされて固定されるようになっている。
【００３３】
また、支持部１２における溝状部には、断面円形状のシール部材６２がガラス板に押圧されて弾性変形して配設され、このため、ケース本体１の開口部１１は、ガラス板によって気密的に閉塞され、内部に水気や塵埃が侵入するのが防止される。
【００３４】
第２のカバー７は、第１のカバー６の前面側に配設されていて、第１のカバー６を含めて前面側の全面を覆うように構成されている。また、中央部７１が前面側へやや凸となるように湾曲して形成され、少なくともこの中央部７１は、透光性を有するようになっている。
次に、上記のように構成された照明器具の組立工程の一例について、主として図２、図３及び図５を参照して概略を説明する。
【００３５】
まず、図５に示すように、基板取付板３３に取付けられた光源部３（電源回路４を含む）及び光学部品５であるプリズムシートを内ケース２に組込み配設する。この場合、基板取付板３３を内ケース２の両端部における開口の一方側から、内ケース２の保持溝２２にスライドさせて挿入する。また、プリズムシートを内ケース２の保持溝２３にスライドさせて挿入する。これにより光源部３及び光学部品５は、絶縁性の内ケース２に保持される。
【００３６】
次いで、内ケース２をケース本体１に配設する。具体的には、ケース本体１の両端部における開口の一方側から、内ケース２をケース本体１の内側のスペースにスライドさせて挿入する。
【００３７】
続いて、図２に示すように、ケース本体１の両端部の開口に端板部材１４をねじ止めして取付け、さらに、図３を加えて示すように、第１のカバー６をケース本体１の開口部１１を閉塞するように前面側から押え板６１をねじ止めすることによって取付ける。
【００３８】
次いで、第２のカバー７をケース本体１の両端部における一方側から、ケース本体１の前面側にスライドさせて配置し、その後、側方から取付ねじＳを端板部材１４の側壁にねじ込む。
【００３９】
このように組立てられる照明器具によれば、光源部３や光学部品５を内ケース２の開口から挿入して組込むことができる。また、これら光源部３や光学部品５が配設された内ケース２をケース本体１の開口から挿入して組込むことができるので、組立工程の簡素化が可能となる。
また、光源部３は、内ケース２である絶縁性を有する樹脂製ケースに組込まれるので、コンパクトな形態で絶縁性を確保することが可能となる。
【００４０】
照明器具の設置状態において、基板３１を介して電源回路４に電力が供給されると、発光素子３２に通電され、各発光素子３２が点灯する。発光素子３２から出射された光は、光学部品５であるプリズムシート、第１のカバー６及び第２のカバー７を透過して目的とする方向に照射される。
【００４１】
この場合、発光素子３２は、長手方向に離間距離Ｌを空けて並べられているので、長手方向の光の連続性を確保しにくいが、光学部品５の機能により、この不都合を解消している。すなわち、図７に模式的に示すように、発光素子３２から主として前面側方向へ直進して出射される光は、光学部品５に入射すると、長手方向に向かって屈折され拡散するように進行する。換言すれば、発光素子３２から出射された光は、図示矢印で示すように、長手方向に伸びるように拡散される。
したがって、発光素子３２の列に所定の離間距離Ｌがあっても、長手方向の光の連続性が途切れることが抑制され、光の連続性を確保することが可能となる。
【００４２】
また、照射開口部２１の縁部には、遮光ルーバ２４が設けられているので、直接発光素子３２から出射される光が視認しにくくなり、照射面が均一に光っているような見え方が実現でき、光の連続性の確保が高められる。
【００４３】
さらに、図８及び図９に示すように、複数台の照明器具（本実施形態においては２台の照明器具）を長手方向に連結した場合においては、複数枚の基板３１が長手方向に並べられることとなる。この場合、隣接する基板３１相互における隣接する発光素子３２ａ間の離間距離Ｌ1は、１枚の基板３１における隣接する発光素子３２間の離間距離Ｌと略等しくなるように構成されている。具体的には、離間距離Ｌ1は、約５０ｍｍに設定されており、離間距離Ｌと等しくなっている。
【００４４】
したがって、照明器具の連結部、すなわち、隣接する基板３１の境目においても、１枚の基板３１における長手方向の光の連続性と同様に、光の連続性の確保が期待できる。
次に、図１０乃至図１５を参照して複数台の照明器具を長手方向に連結する場合の連結構造について説明する。
【００４５】
図１０に示すように、複数台の照明器具を連結する場合には、連結部材８が用いられる。連結部材８は、側面形状が略コ字状であって横長の長方形状に形成されている。また、連結部材８の表面上には、長手方向と直交する方向に立設された複数のボルト部材８１が設けられている。具体的には、ボルト部材８１は、所定の間隔を空けて４本設けられている。
【００４６】
連結部材８における側面形状の外形は、ケース本体１に形成されたＣ状の取付支持部１３の内側形状に略相当する形態となっている。したがって、図１１に示すように、連結部材８は、取付支持部１３の内側にスライドして挿入でき、この場合、ボルト部材８１は、Ｃ状の取付支持部１３の開放部から外側に突出するように位置される。
【００４７】
図１２に示すように、連結部材８は、２台の照明器具を連結する境界部分に跨って配設される。つまり、連結部材８は、隣接する照明器具相互の取付支持部１３に跨って挿入されて配設されるようになる。
【００４８】
この状態において、図１３に示すように、連結部材８に固定プレート９を外側から取付ける。固定プレート９は、長方形状の板材であり、前記ボルト部材８１の配設位置に対応して貫通孔９１が形成されている。このような固定プレート９をその貫通孔９１にボルト部材８１が貫通するようにして外側から取付支持部１３に向かって配置する。
【００４９】
図１４に示すように、各ボルト部材８１には、ナット８２がねじ込まれ、固定プレート９が連結部材８に取付けられ固定される。したがって、図１５に示すように、連結部材８と固定プレート９との間で各取付支持部１３の外壁が挟持され、２台の照明器具は連結される。
【００５０】
このような連結構造により複数台の照明器具を容易に連結することが可能となる。また、この場合、照明器具を前述の取付部材Ｆ（図１参照）に取付けるための取付支持部１３を利用しているので、構成を簡素化できる。さらに、連結部材８を前述の取付用レールとして兼用して用いるようにしてもよい。これにより、部品の共通化を図ることができ、部品点数の削減が可能となる。
【００５１】
なお、本実施形態においては、複数台の照明器具を長手方向に連結した場合について説明したが、１台の照明器具において、複数枚の基板を長手方向に並べて配設した場合にも、その隣接する基板相互における隣接する発光素子間の離間距離を、１枚の基板における隣接する発光素子間の離間距離と等しくすることにより、長手方向の光の連続性を確保することが可能となる。
【００５２】
以上のように本実施形態によれば、基板３１の長手方向に所定の離間距離Ｌを空けて発光素子３２を実装し、発光素子３２の個数を少なくした場合であっても、長手方向の光の連続性を確保することができる。したがって、経済的に有利であるとともに、長手方向の光の連続性を確保できる照明器具を提供することが可能となる。
【００５３】
次に、本発明の第２の実施形態ついて図１６乃至図１８を参照して説明する。なお、第１の実施形態と同一又は相当部分には同一符号を付し、重複した説明は省略する。
【００５４】
本実施形態では、配光制御部としての遮光ルーバ３４を基板３１に配設するようにしたものである。図１２に示すように、遮光ルーバ３４は、合成樹脂製であり四角形状の板状片に形成されており、下端側には、弾性変形する係合部３４ａが形成されている。
【００５５】
一方、図１１に示すように、基板３１における各発光素子３２の両側には、長手方向に沿ってスリット３１ａが形成されている。したがって、この各スリット３１ａに遮光ルーバ３４の係合部３４ａを弾性変形を伴って圧入して取付けるようにする。
このように遮光ルーバ３４を基板３１に取付けることにより、遮光ルーバ３４は、発光素子３２の両側に立設して配設される。
【００５６】
以上のように本実施形態によれば、遮光ルーバ３４によって、発光素子３２から出射される光を光学部材５へ反射させることで、発光素子３２から直接光学部材へ光を照射する場合に比べ照射面が均一に光っているような見え方が実現でき、光の連続性の確保が高められる。また、遮光ルーバ３４は、基板３１に配設されているので、発光素子３２に近い位置となり、その位置決めが容易となる効果を奏することができる。
【００５７】
なお、上記においては、遮光ルーバ３４を発光素子３２ごとに配設する場合について説明したが、遮光ルーバを連続した板状体として構成し、発光素子３２の列の両側に配設するようにしてもよい。また、遮光ルーバに替えて、例えば、拡散板や反射板を設けるようにしてもよい。また、第１の実施形態の遮光ルーバ２４と遮光ルーバ３４とを合わせて配設してもよい。
【００５８】
なお、本発明は、上記実施形態の構成に限定されることなく、発明の要旨を逸脱しない範囲で種々の変形が可能である。例えば、発光素子は、ＬＥＤや有機ＥＬ等の固体発光素子が適用できる。また、発光素子の実装個数は、特段限定されるものではない。
【００５９】
さらに、照明器具としては、屋外で使用されるものに限らず、屋内で使用されるものであってもよい。屋外又は屋内で使用される各種照明器具に適用可能である。
【符号の説明】
【００６０】
１・・・ケース本体、２・・・内ケース（樹脂製ケース）、
３・・・光源部、４・・・電源回路、
５・・・光学部品（プリズムシート）、６・・・第１のカバー、
７・・・第２のカバー、１１・・・開口部、
２１・・・照射開口部、３１・・・基板、
３２・・・発光素子（ＬＥＤ）、２４、３４・・・配光制御部（遮光ルーバ）
Ｌ・・・離間距離
【図１】
2012243661.tif 000003
【図２】
2012243661.tif 000004
【図３】
2012243661.tif 000005
【図４】
2012243661.tif 000006
【図５】
2012243661.tif 000007
【図６】
2012243661.tif 000008
【図７】
2012243661.tif 000009
【図８】
2012243661.tif 000010
【図９】
2012243661.tif 000011
【図１０】
2012243661.tif 000012
【図１１】
2012243661.tif 000013
【図１２】
2012243661.tif 000014
【図１３】
2012243661.tif 000015
【図１４】
2012243661.tif 000016
【図１５】
2012243661.tif 000017
【図１６】
2012243661.tif 000018
【図１７】
2012243661.tif 000019
【図１８】
2012243661.tif 000020